(57)【要約】【課題】瓦固定具を用いることなく瓦を強風に対して確実に固定でき且つ瓦の下に浸入した水を排水できるとともに、瓦葺き作業を簡単に行うことができる平型瓦を提供する。【解決手段】頭部２に平型瓦を桟木に固定するネジ釘１４を通すネジ釘穴１５が設けられ、瓦表面に通水路に連通する水止め凹溝９が左右方向に設けられ、左右方向の一方の端部に表側を切り欠いた表側段部が設けられ、他方の端部に隣の平型瓦の表側段部と面一に重なる表側段部裏側を切り欠いた裏側段部が設けられ、頭部２の端部に裏面を切り欠いて頭部段部６が設けられ、頭部段部６の下に入り込む尻部挿入部７が設けられ、頭部段部６及び尻部挿入７部にはそれぞれ傾斜面が設けられ、傾斜面は頭部段部６の傾斜面が尻部挿入部７の傾斜面の下側に入り込んで尻部挿入部７の傾斜面により押さえられる形状に形成されている。【選択図】図１
0003113832.tif 000002
【実用新案登録請求の範囲】
【請求項１】
流水方向と直交する左右方向に面一に並べるとともに、流水方向に上側の平型瓦の頭部を下側の平型瓦の尻部に重ねる平型瓦において、
頭部に平型瓦を受け桟木に固定する瓦釘を通す瓦釘穴が設けられ、
瓦表面に流水方向に流水路が設けられ、
頭部表面に通水路に連通する水止め凹溝が左右方向に設けられ、
左右方向の一方の端部に表側を切り欠いた表側段部が設けられ、他方の端部には、左右方向に平型瓦を並べる際に、隣の平型瓦の前記表側段部と面一に重なる表側段部裏側を切り欠いた裏側段部が設けられ、
頭部の端部に裏面を切り欠いて頭部段部が設けられ、流水方向に上側の平型瓦の頭部を下側の平型瓦の尻部に重ねる際に、上側の平型瓦の頭部段部の下に入り込む尻部挿入部が設けられ、頭部段部及び頭部段部の形状が頭部段部を尻部挿入部により押さえる形状に形成されていることを特徴とする平型瓦。
【請求項２】
頭部段部及び尻部挿入部にはそれぞれ傾斜面が設けられ、頭部段部の傾斜面が尻部挿入部の傾斜面の下側に入り込んで尻部挿入部の傾斜面により押さえられる形状に形成されていることを特徴とする請求項１記載の平型瓦。
【請求項３】
頭部段部の裏面に水止め凹溝に入り込む凸条が設けられていることを特徴とする請求項１又は２記載の平型瓦。
【請求項４】
表側段部に底が裏面から一定の距離の凹溝が形成され、上側の平型瓦と下側の平型瓦のそれぞれの凹溝が連通していることを特徴とする請求項１、２又は３記載の平型瓦。
【請求項５】
裏面側段部の裏面に表側段部の凹溝に入り込む凸条が設けられていることを特徴とする請求項４記載の平型瓦。
【考案の詳細な説明】
【技術分野】
【０００１】
本考案は、台風や突風などの強風によって吹き飛ばされることのない耐風性平型瓦に関する。
【背景技術】
【０００２】
台風や突風などの強風によって瓦が吹き飛ばされたり、浮き上がったりしないように、耐風性を有する瓦あるいは瓦固定具が提案されている。
【０００３】
例えば、特許文献１には、強風を受けても瓦釘の浮き上がりや、それに伴う瓦の飛散を防止するため、瓦本体の尻部に、瓦釘を瓦裏面に向けて屋根の上方向に斜めに貫通させる傾斜孔を通して固定し、強風時に作用する瓦の頭部を持ち上げようとする力に対して強い抵抗力を発揮し、瓦釘の弛みや瓦の飛散を防止することが開示されている。
【０００４】
また、特許文献２には、屋根瓦を掛け止めて吹飛を防止するため、野地板と野地板上に敷設された瓦棒との間に挟持される基部と、基部の上側に瓦上縁係止部と、瓦上縁係止部の上側に接続された瓦下縁係止部とを具備する瓦固定具が開示されている。
【特許文献１】特開２００３−１９３６２３号公報
【特許文献２】特開２００２−３３２７１８号公報
【考案の開示】
【考案が解決しようとする課題】
【０００５】
瓦本体の尻部を瓦釘で斜めに固定するのみでは、尻部に重ねられた頭部の固定が十分ではなく、風により頭部が浮き上がるおそれがある。また、傾斜したネジ釘穴の形成に手間がかかるという欠点がある。さらに、横降り雨が尻部と頭部の重なり部分から瓦の下に浸入した場合、排水が十分にできないという欠点がある。
【０００６】
また、瓦固定具で瓦を固定する方式は、瓦以外に上側の瓦と下側の瓦を固定する形状が複雑な固定具を別途用意しなくてはならないだけでなく、瓦固定具を瓦棒と野地板の間、上側の瓦及び下側の瓦に固定する必要があるため、瓦葺き作業が複雑になり手間がかかるという欠点がある。
【０００７】
そこで、本考案は、瓦固定具を用いることなく瓦を強風に対して確実に固定でき且つ瓦の下に浸入した水を排水できるとともに、瓦葺き作業を簡単に行うことができる平型瓦を提供するものである。
【課題を解決するための手段】
【０００８】
本考案の平型瓦は、流水方向と直交する左右方向に面一に並べるとともに、流水方向に上側の平型瓦の頭部を下側の平型瓦の尻部に重ねる平型瓦において、頭部に平型瓦を受け桟木に固定する瓦釘を通す瓦釘穴が設けられ、瓦表面に流水方向に流水路が設けられ、頭部表面に通水路に連通する水止め凹溝が左右方向に設けられ、左右方向の一方の端部に表側を切り欠いた表側段部が設けられ、他方の端部には、左右方向に平型瓦を並べる際に、隣の平型瓦の前記表側段部と面一に重なる表側段部裏側を切り欠いた裏側段部が設けられ、頭部の端部に裏面を切り欠いて頭部段部が設けられ、流水方向に上側の平型瓦の頭部を下側の平型瓦の尻部に重ねる際に、上側の平型瓦の頭部段部の下に入り込む尻部挿入部が設けられ、頭部段部及び頭部段部の形状が頭部段部を尻部挿入部により押さえる形状に形成されていることを特徴とする。頭部段部を尻部挿入部により押さえる形状としては、頭部段部及び尻部挿入部にはそれぞれ傾斜面を設け、傾斜面は頭部段部の傾斜面が尻部挿入部の傾斜面の下側に入り込んで尻部挿入部の傾斜面により押さえられる形状に形成することができる。頭部段部の裏面には位置決めのため水止め凹溝に入り込む凸条を設けてもよい。
【０００９】
さらに、表側段部には、排水のために流水方向に凹溝を形成してもよく、その場合、凹溝の底が裏面から一定の距離の凹溝であり、上側の平型瓦と下側の平型瓦のそれぞれの凹溝が連通するようにしてもよい。また、位置決めのために裏面側段部に凹溝に入り込む凸条を形成してもよい。
【考案の効果】
【００１０】
本考案の平型瓦は頭部段部と尻部挿入部の重なり部分が係止状態となるので、頭部が風により浮き上がりを防止することができる。
【００１１】
また、流水方向に直交する水止め溝により頭部と尻部の重なり部分から浸入する水を排出することができ、さらに、表段部に凹溝を形成することにより、左右方向の平型瓦の境界から浸入する水を排水することができる。
【００１２】
また、本考案の平型瓦は、台風に対してだけでなく、冬の季節風の強い雪国においても利用でき、水止め溝あるいは凹溝により融雪による水の排水ができるとともに、緩勾配で瓦葺きすることにより雪下ろしの際の危険性を防止することもできる。
【考案を実施するための最良の形態】
【００１３】
本考案の実施例について図面を参照しながら説明する。
【実施例】
【００１４】
図１（ａ）は本考案の平型瓦の表側から見た斜視図、（ｂ）は裏側から見た斜視図、図２（ａ）は左側面図、（ｂ）は平面図、（ｃ）は右側面図、（ｄ）はＡ−Ａ線断面図、図３は平型瓦の別実施例の裏側の斜視図、図４（ａ）は本考案の平型瓦を重ねた状態を示す斜視図、（ｂ）は本考案の平型瓦を左右方向に面一に並べた状態を示す斜視図、図５は本考案の平型瓦を重ねた状態を示す断面図である。
【００１５】
本考案による平型瓦１は、図４に示すよう、水が棟から軒へ流れる、矢印で示す流水方向と直角の左右方向には面一に並べ、流水方向には上側の平型瓦１ａの頭部（流水方向の水下側）２を下側の平型瓦１ｂの尻部（流水方向の水上側）３の上に重ねる。本考案の平型瓦１は、陶磁器、セラミックあるいはセメント等で製造する。
【００１６】
流水方向と直角の左右方向に隣り合う平型瓦１ａと１ｃ、１ｂと１ｄを相欠き継ぎによりそれぞれ面一に並べるため、平型瓦１ａ〜１ｄの一方の端部は表側を切り欠いた表側段部４を形成し、他方の端部は裏側を切り欠いた裏側段部５を形成する。
【００１７】
表側段部４の表面には流水方向に凹溝４ａを形成する。凹溝４ａは、左右方向に並べられて隣り合う平型瓦の境界から浸入する水を止める水止め溝として機能する。流水方向に頭部２を尻部３に重ねた際に、上側の平型瓦１ａと下側の平型瓦１ｂのそれぞれの凹溝４ａの底は裏面から一定の距離に形成することにより平面的に接続され、凹溝４ａの水は上側の平型瓦１ａから下側の平型瓦１ｂへ流れていく。なお、上側と下側の平型瓦１ａと１ｂの凹溝４ａの境界は水漏れを防ぐためにシール材でシールする。また、図３の斜視図に示すように、裏側段部５には位置決めのため凹溝４ａの一部に入り込む凸条を形成してもよい。
【００１８】
平型瓦１は流水方向に頭部２を尻部３に重ねていくため、頭部２の裏面を切り欠いて頭部段部６を形成する。頭部段部６の裏面には下向きに流水方向と直角の方向に凸条６ａを形成する。凸条６ａは、位置決めのために尻部３の表面に形成された水止め凹溝９に入り込む。
【００１９】
尻部３は頭部２の頭部段部６の中に入り込む尻部挿入部７を形成する。図５に示すように、頭部段部６ａと尻部挿入部７との接触面は傾斜面に形成し、上側の平型瓦１ａの頭部２に形成された傾斜面が下側の平型瓦１ｂの挿入部７の裏面側に形成された傾斜面の下側に入り込んで挿入部７の傾斜面により押さえられるようにする。傾斜面は４５度程度が強度的に好ましい。また、頭部を押さえる形状は、傾斜面に限らず、凹凸あるいはＳ字形にして契合できるようにしてもよい。
【００２０】
したがって、強風によって浮き上がろうとしても上側の平型瓦１ａの頭部２が下側の平型瓦１ｂの挿入部７により引っかかって押さえられて浮き上がりを防止することができる。
【００２１】
平型瓦１の表面には、流水方向に水を水上から水下へ流す流水路８を形成する。流水路８は、流水方向に、複数の溝を形成したり、あるいは中央側に傾斜した凹みにより形成したりすることができる。
【００２２】
さらに、平型瓦１の尻部３の表面には、尻部３に流水方向と直交する水止め凹溝９を形成し、水止め凹溝９を流水路８に接続して、水止め凹溝９の水が流水路８に流れて排水されるようにする。尻部３の水止め凹溝９には上側の平型瓦１ａの頭部に形成した頭部段部６の下向きの凸条６ａが係合して位置決めに利用できる。
【００２３】
平型瓦１の頭部２には、図４に示すように、平型瓦１を瓦受け桟木１３に固定するために釘、ネジ釘などの瓦釘１４を通す瓦釘孔１５を設ける。なお、軒瓦１６は、軒下からの風により浮き上がるのを防ぐため、流水方向の上側と下側の複数箇所を瓦釘１４で止めることにより強固に固定する。瓦釘の材質は、耐食性のある銅、アルミニウム、ステンレスが好ましい。また、瓦釘と平型瓦の間にクッション材を介在させることにより、瓦の固定の際や瓦の浮き上がりの力により平型瓦が割れるのを防止することができる。
【００２４】
本考案の平型瓦を用いた瓦葺き作業の一例について説明する。
【００２５】
図５に示すように、通常の家屋の屋根と同様に、垂木１０に野地板１１を固定し、野地板１１を防水シート１２で覆う。次いで、瓦受け桟木１３を平型瓦１の大きさに合わせて垂木１０に固定する。
【００２６】
本考案の平型瓦の葺き作業は、平型瓦１を左右方向に並べたのち、流水方向に重ねるとともに、横方向に並べていく手順で行う。
【００２７】
まず、平型瓦１を左右方向に並べるため、平型瓦１のネジ釘穴１５にネジ釘１４を通して瓦受け桟木１３に固定する。次いで、桟木１３に固定した平型瓦１ｄの表側段部４の隣に並べる平型瓦１ｂの裏側段部に重ねて面一に相欠き継ぎする。同様の作業を繰り返して、表側段部４と裏側段部５を相欠き継ぎして平型瓦１を面一に左右方向に並べていく。隣り合う平型瓦の境界はシール材によりシールして水の侵入を防ぐ。
【００２８】
次いで、平型瓦１を流水方向に重ねるとともに、横方向に並べていくため、固定された平型瓦１ｄの尻部３の表面に形成されている水止め凹溝９に、上側の平型瓦１ｃの頭部段部６の裏面に形成された凸状６ａを係合させて重ね、ネジ釘穴１５にネジ釘１４を通して瓦受け桟木１３に固定する。この重ねにより、図５に示すように、上側の平型瓦１ａの頭部２に形成された傾斜面が下側の平型瓦１ｂの挿入部７の裏面側に形成された傾斜面の下側に入り込んで挿入部７の傾斜面により押さえられる。
【００２９】
同様にして頭部段部６を下側の平型瓦１ｂの尻部段部３に重ねるとともに、平型瓦１ｃの表側段部４に平型瓦１ａの裏側段部５に面一に重ねて相欠き継ぎする。
【００３０】
同様の作業を繰り返すことにより平型瓦１を流水方向に重ねるとともに、左右方向に並べて葺いていく。
【００３１】
本考案による平型瓦は、台風や突風に対して上側の平型瓦１ａの傾斜面が下側の平型瓦１ｂの挿入部７に形成された傾斜面の下側に入り込んで押さえられるので、台風や突風に対して浮き上がるのを防ぐことができる。また、水止め凹溝９に、上側の平型瓦１ｃの頭部段部６と下側の平型瓦１ｂの尻部段部３の重ねた部分の隙間から風により入り込んだ水は水止め凹溝９に入り、通水路８を経て排出される。
【００３２】
また、本考案の平型瓦は台風に対してだけでなく、吹雪などの強風に対しても強度及び耐水に効果を有し、例えば、豪雪地帯では屋根勾配は３．５／１０以下の緩勾配にすることにより、耐風及び耐水に効果を有し、また、雪下ろしの際に転落しにくくなる効果もある。
【図面の簡単な説明】
【００３３】
【図１】（ａ）は本考案の平型瓦の表側から視た斜視図、（ｂ）は裏側から視た斜視図である。
【図２】（ａ）は本考案の平型瓦の左側面図、（ｂ）は右側面図、（ｃ）は平面図、（ｄ）は正面図、（ａ）は左側面図、（ｂ）は右側面図、（ｃ）は平面図、（ｄ）は正面図（ｅ）は背面図である。
【図３】平型瓦の別実施例の裏側から視た斜視図である。
【図４】（ａ）は本考案の平型瓦を重ねた状態を示す斜視図、（ｂ）は本考案の平型瓦を左右方向に面一に並べた状態を示す斜視図である。
【図５】本考案の平型瓦を重ねた状態を示す断面図である。
【符号の説明】
【００３４】
１：平型瓦
１ａ：上側の平型瓦
１ｂ：下側の平型瓦
２：頭部
３：尻部
４：表側段部
４ａ：凹溝
５：裏側段部
５ａ：凸条
６：頭部段部
６ａ：凸条
７：尻部挿入部
８：流水路
９：水止め凹溝
１０：垂木
１１：野地板
１２：防水シート
１３：瓦受け桟木
１４：ネジ釘
１５：ネジ釘穴
１６：軒瓦
【図１】
0003113832.tif 000003
【図２】
0003113832.tif 000004
【図３】
0003113832.tif 000005
【図４】
0003113832.tif 000006
【図５】
0003113832.tif 000007